【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
軸線周りに回転するロータと、
前記ロータを回転可能に収容するケーシングと、
前記ケーシングの内側壁部に固定される第１段静翼、及び、前記第１段静翼の下流側において前記ロータに固定される第１段動翼、を含む第１段落と、を備え、
前記ロータは、前記第１段静翼と対面する部分に形成された凹状の第１キャビティであって、前記第１段静翼の上流側において、前記内側壁部と前記ロータとの間に画定される内側空間と連通する第１キャビティを有し、
前記第１段静翼は、前記第１キャビティと連通し、且つ、前記第１段静翼を径方向に貫通する第１段貫通孔を有し、
前記第１段貫通孔の入口開口を介して前記第１キャビティから導入された蒸気が、前記第１段貫通孔を流れるように構成されるとともに、
前記第１段落は、前記蒸気タービンの最終段落よりも上流側に位置する
蒸気タービン。
【請求項２】
前記第１段落は、前記内側空間を流れる主蒸気が乾き蒸気から湿り蒸気へと変化する変化位置よりも下流側の領域である湿り域に位置し、且つ、前記湿り域に複数の段落がある場合には、前記湿り域における最も上流側に位置する段落である請求項１に記載の蒸気タービン。
【請求項３】
前記第１段静翼は、前記内側壁部から前記ロータに向かって延在する静翼本体部と、前記静翼本体部の先端部に設けられた環状の仕切板と、を含み、
前記入口開口は、前記仕切板に形成されている
請求項１又は２に記載の蒸気タービン。
【請求項４】
前記仕切板は、前記仕切板と前記ロータとの間をシールする第１シール部を含み、
前記入口開口は、前記第１シール部よりも下流側に形成されているか、又は、前記ロータの軸線方向において、前記第１シール部が形成されている領域と重複する位置に形成されている請求項３に記載の蒸気タービン。
【請求項５】
前記仕切板は、前記第１シール部よりも下流側において、前記仕切板と前記ロータとの間をシールする第２シール部をさらに含み、
前記入口開口は、前記第２シール部よりも上流側に形成されているか、又は、前記ロータの軸線方向において、前記第２シール部が形成されている領域と重複する位置に形成されている請求項４に記載の蒸気タービン。
【請求項６】
前記ケーシングは、前記内側空間の外周側に形成される外側空間を、前記内側壁部との間で画定する外側壁部をさらに含み、
前記外側空間は、前記ロータの軸線方向において、前記第１段静翼が形成されている領域と重複する位置に形成されるとともに、前記第１段静翼の下流側において前記内側空間と連通し、
前記第１段貫通孔を流れた蒸気が、前記第１段貫通孔の出口開口から前記外側空間に排出されるように構成される請求項１から５の何れか一項に記載の蒸気タービン。
【請求項７】
前記蒸気タービンは、前記内側壁部に固定される第２段静翼、及び、前記第２段静翼の下流側において前記ロータに固定される第２段動翼、を含む第２段落であって、前記第１段落よりも下流側に位置する第２段落をさらに備え、
前記ロータは、前記第２段静翼と対面する部分に形成された凹状の第２キャビティであって、前記第２段静翼の上流側において前記内側空間と連通する第２キャビティを有し、
前記第２段静翼は、前記第２キャビティと連通し、且つ、前記第２段静翼を径方向に貫通する第２段貫通孔と、を有し、
前記蒸気タービンは、前記第１段貫通孔と前記第２段貫通孔とを接続する接続通路をさらに備え、
前記第１段貫通孔を流れた前記蒸気が、前記接続通路および前記第２段貫通孔を流れて、前記第２段貫通孔の出口開口から前記第２キャビティに排出されるように構成される請求項１から５の何れか一項に記載の蒸気タービン。
【請求項８】
前記第１段落と前記第２段落とは連続する段落である請求項７に記載の蒸気タービン。
【請求項９】
前記第１段貫通孔の入口開口の面積をＡ１、前記接続通路の流路面積をＡ２、前記第２段貫通孔の出口開口の面積をＡ３、とした場合に、Ａ３＞Ａ１、Ａ２である請求項７又は８に記載の蒸気タービン。
【請求項１０】
前記第２段貫通孔の出口開口は、前記ロータの軸線方向に沿った断面視において、前記第２キャビティの底面部における最深部に向かって開口している請求項７から９の何れか一項に記載の蒸気タービン。
【請求項１１】
前記第２段貫通孔の出口開口は、前記ロータの回転方向の下流側に向かって開口している請求項７から１０の何れか一項に記載の蒸気タービン。
【請求項１２】
前記第１段落は、前記蒸気タービンの最終段落よりも上流側に位置し、
前記最終段落は、前記内側壁部に固定される最終段静翼、及び、前記最終段静翼の下流側において前記ロータに固定される最終段動翼、を含み、
前記ロータは、前記最終段静翼と対面する部分に形成された凹状の最終段キャビティであって、前記最終段静翼の上流側において前記内側空間と連通する最終段キャビティを有し、
前記最終段静翼は、前記最終段キャビティと連通し、且つ、前記最終段静翼を径方向に貫通する最終段貫通孔を有し、
前記最終段キャビティの入口開口から導入された蒸気が前記最終段貫通孔を流れるように構成される請求項１から１１の何れか一項に記載の蒸気タービン。
【請求項１３】
前記最終段静翼は、板状の腹面部と、前記腹面部との間で空洞部を画定する板状の背面部と、からなる断面中空状に形成され、
前記最終段静翼の腹面部には、前記空洞部と連通するスリットが形成され、
前記最終段静翼は、前記スリットと連通する湿分除去流路と、前記最終段貫通孔とに前記空洞部を分割する分割板を含む請求項１２に記載の蒸気タービン。
【請求項１４】
前記最終段静翼の背面部の内、スロート位置よりも下流側を過冷却背面部と定義した場合に、
前記最終段貫通孔は、前記最終段静翼の内部において、前記過冷却背面部に面するように形成される請求項１３に記載の蒸気タービン。
【請求項１５】
前記第１段静翼を支持する前記内側壁部の内部には、前記第１段貫通孔と連通する環状の第１段環状空間が形成されている請求項１から１４の何れか一項に記載の蒸気タービン。
【請求項１６】
前記第１段静翼は、板状の腹面部と、前記腹面部との間で空洞部を画定する板状の背面部と、からなる断面中空状に形成される請求項１から１５の何れか一項に記載の蒸気タービン。
【請求項１７】
前記第１段静翼は、前記第１段貫通孔と、前記第１段貫通孔以外の空間とに前記空洞部を分割する分割板を含み、
前記第１段静翼の背面部の内、スロート位置よりも下流側を過冷却背面部と定義した場合に、
前記第１段貫通孔は、前記第１段静翼の内部において、前記過冷却背面部に面するように形成される請求項１６に記載の蒸気タービン。
【手続補正２】
【補正対象書類名】明細書
【補正対象項目名】００５２
【補正方法】変更
【補正の内容】
【００５２】
図１に示した蒸気タービンプラント１において、ボイラ２で生成された蒸気Ｓ１は、蒸気供給管７ａを介して、蒸気タービン装置３へ供給される。蒸気タービン装置３に供給された蒸気Ｓは、蒸気タービン装置３を駆動させた後、復水供給管７ｂを介して、復水器５へ供給される。そして、復水器５において凝縮された凝縮水は、給水ポンプ６によって加圧されることで、ボイラ水供給管７ｃを介して、ボイラ水としてボイラ２に供給される。
【手続補正３】
【補正対象書類名】明細書
【補正対象項目名】００８０
【補正方法】変更
【補正の内容】
【００８０】
幾つかの実施形態では、図５〜８に示したように、上述した蒸気タービン１０は、内側壁部２２に固定される第２段静翼６２、及び、第２段静翼６２の下流側においてロータ１２に固定される第２段動翼６４、を含む第２段落６０であって、第１段落４０よりも下流側に位置する第２段落６０をさらに備える。上述したロータ１２は、第２段静翼６２と対面する部分に形成された凹状の第２キャビティ６６であって、第２段静翼６２の上流側において内側空間７０と連通する第２キャビティ６６を有する。この第２キャビティ６６は、ロータ１２の全周に亘って環状に形成されている。上述した第２段静翼６２は、第２キャビティ６６と連通し、且つ、第２段静翼６２を径方向に貫通する第２段貫通孔５４を有する。そして、上述した蒸気タービン１０は、第１段貫通孔５０と第２段貫通孔５４とを接続する接続通路５６をさらに備えるとともに、第１段貫通孔５０を流れた蒸気が、接続通路５６および第２段貫通孔５４を流れて、第２段貫通孔５４の出口開口５４ｂから第２キャビティ６６に排出されるように構成されている。
【手続補正４】
【補正対象書類名】図面
【補正対象項目名】図１１
【補正方法】変更
【補正の内容】
【図１１】
2018115633.tif 000001